(57)【要約】      （修正有）【課題】足場シートが破れたり、孔があくのを防止することができる足場用保護板を提供する。【解決手段】建築物を囲う足場１１に取り付けられる足場用保護板１であって、長辺１ａと短辺１ｂからなる矩形の可撓性を有する材料からなり、長辺１ａに沿って足場１１の支柱１３に結び付ける紐１６が取り付けられる孔２が所定間隔で設けられ、短辺１ｂに沿って足場１１の手摺１４に結び付ける紐１６が取り付けられる孔３が所定間隔で設けられ、足場１１に取り付けられる足場シート１５の建築物側に取り付けられる。【選択図】図６
0003223960.tif 000002
【実用新案登録請求の範囲】
【請求項１】
建築物を囲う足場に取り付けられる足場用保護板であって、
長辺と短辺からなる矩形の可撓性を有する材料からなり、前記長辺に沿って足場の支柱に結び付ける紐が取り付けられる孔が所定間隔で設けられ、前記短辺に沿って足場の手摺に結び付ける紐が取り付けられる孔が所定間隔で設けられ、足場に取り付けられる足場シートの建築物側に取り付けられることを特徴とする足場用保護板。
【請求項２】
前記短辺方向に波が連続する波板からなることを特徴とする請求項１に記載の足場用保護板。
【請求項３】
前記短辺方向の中央の孔にフックが取り付けられていることを特徴とする請求項１又は２に記載の足場用保護板。
【請求項４】
前記足場用保護板の上縁に、前記短辺方向に延びる緩衝材が取り付けられていることを特徴とする請求項１から３のいずれかに記載の足場用保護板。
【請求項５】
前記足場用保護板を複数枚重ねて、長辺の孔に連結部材を通して必要な長に調整できるようにしたことを特徴とする請求項１から４のいずれかに記載の足場用保護板。
【請求項６】
前記重ねた複数枚の保護板の両側端にスライド部が形成されていることを特徴とする請求項５に記載の足場用保護板。
【請求項７】
前記足場用保護板を複数枚並べて各々の長辺をヒンジ部材を介して接合し、前記ヒンジ部材の回りに折り曲げ、又は重ね合わせることができるようにしたことを特徴とする請求項１から４のいずれかに記載の足場用保護板。
【考案の詳細な説明】
【技術分野】
【０００１】
本考案は、足場用保護板に関する。
【背景技術】
【０００２】
建築物の解体現場の足場には、防音シート、防塵シート、養生シート等が取り付けられる。これらの足場シートは、解体作業中に発生する騒音や粉塵による近隣への被害を回避するために設けられる。
【０００３】
しかし、足場シートは、ビニル系の柔らかい生地からなるため、解体作業中に飛散するモルタルや瓦礫、倒壊する壁や柱により、破れたり穴が開き、本来の防音や防塵、養生機能が損なわれるという問題があった。
【０００４】
従来、外壁のモルタルが飛散しないように、手作業でモルタルを叩き落とすことも行なわれていた。また、足場シートを保護するために、足場シートの内側に金網や筋違を入れることも考えられるが、これでは足場の組立に時間がかかる。特許文献１には、メッシュシートの編地に伸長を抑制する補強部材を設けたものが提案されているが、足場シート自体が高価になるという問題がある。
【先行技術文献】
【特許文献】
【０００５】
【特許文献１】特開２００９−１５５８５２号公報
【考案の概要】
【考案が解決しようとする課題】
【０００６】
本考案は、前記従来の問題点に鑑みてなされたもので、足場シートが破れたり、孔があくのを防止することができる足場用保護板を提供することを課題とする。
【課題を解決するための手段】
【０００７】
前記課題を解決するために、本考案は、建築物を囲う足場に取り付けられる足場用保護板であって、長辺と短辺からなる矩形の可撓性を有する材料からなり、前記長辺に沿って足場の支柱に結び付ける紐が取り付けられる孔が所定間隔で設けられ、前記短辺に沿って足場の手摺に結び付ける紐が取り付けられる孔が所定間隔で設けられ、足場に取り付けられる足場シートの建築物側に取り付けられる。
【０００８】
前記短辺方向に波が連続する波板からなる。
【０００９】
前記短辺方向の中央の孔にフックが取り付けられている。
【００１０】
前記足場用保護板の上縁に、前記短辺方向に延びる緩衝材が取り付けられている。
【００１１】
前記足場用保護板を複数枚重ねて、長辺の孔に連結部材を通して必要な長に調整できるようにする。前記重ねた複数枚の保護板の両側端にスライド部が形成されていることが好ましい。
【００１２】
前記足場用保護板を複数枚並べて各々の長辺をヒンジ部材を介して接合し、前記ヒンジ部材の回りに折り曲げ、又は重ね合わせることができるようにする。
【考案の効果】
【００１３】
本考案によれば、足場に取り付けられる足場シートの建築物側に足場保護板が取り付けられるので、解体作業中に飛散するモルタルや瓦礫、倒壊する壁や柱により、足場シートが破れたり、孔があくのを防止し、また足場部材が損傷するのを防止することができる。さらに、解体前に予め外壁のモルタルを叩き落とす等の手作業が不要になる。
【図面の簡単な説明】
【００１４】
【図１】本考案の第１実施形態に係る足場用保護板の斜視図。
【図２】図１の足場用保護板を巻いた状態を示す斜視図。
【図３】足場用保護板の波形の形状を示す図。
【図４】足場用保護板の孔にハトメを固着した状態を示す斜視図。
【図５】解体家屋を囲う足場に足場シート及び足場用保護板を取り付けた状態を示す斜視図。
【図６】足場用保護板を足場の支柱及び手摺に取り付ける状況を示す拡大斜視図。
【図７】足場用保護板を足場に取り付けた状態を示す側面図。
【図８】足場用保護板を踏板付き足場に取り付けた状態を示す側面図。
【図９】本考案の第２実施形態に係る足場用保護板の斜視図。
【図１０】図９の足場用保護板を解体家屋と近隣家屋の間に設置した状態を示す側面図。
【図１１】本考案の第３実施形態に係る足場用保護板の斜視図。
【図１２】図１１の足場用保護板の両端にスライド部を設けた変形例を示す断面図。
【図１３】本考案の第４実施形態に係る足場用保護板の斜視図。
【図１４】図１３の足場用保護板のヒンジ部材の近傍の拡大断面図（ａ）及び足場用保護板をヒンジ部材の回りに曲げた状態を示す拡大断面図（ｂ）。
【図１５】本考案の足場用保護板で花壇を保護する状況を示す側面図。
【考案を実施するための形態】
【００１５】
以下、本考案の実施形態を添付図面に従って説明する。
【００１６】
図１は、解体家屋の足場に取り付けられる本考案の実施形態に係る足場用保護板（以下、単に「保護板」という。）１を示す。保護板１は、長辺１ａと短辺１ｂとを有する矩形で、可撓性を有する。保護板１は、短辺方向に波が連続する波板であり、図２に示すように、短辺１ｂを曲げて巻いた状態で、搬送、保管することができる。
【００１７】
保護板１の材質は、塩化ビニル樹脂、ポリカーボネート樹脂等のほか、容リ材（プラスチック製容器包装リサイクル材）から再生されたＰＰ・ＰＥ混合再生材等が好ましい。また、保護板１は、解体家屋が透視できるように、透明又は半透明であることが好ましい。
【００１８】
保護板１の厚さは０．２〜０．９ｍｍで、使い捨てする場合は、薄いものを使用し、再使用する場合は、厚いものを使用することが好ましい。保護板１の波の形状は、図３に示すように、ピッチｐ＝３２ｍｍ、谷深さｄ＝９ｍｍの鉄板小波（ＪＩＳ  Ｋ６７３５）であることが好ましいが、これに限るものではない。保護板１の長辺１ａは、４０００ｍｍが好ましいが、足場の支柱の高さに応じて決定すればよい。保護板１の短辺１ｂは、隣接する支柱間の間隔、すなわち手摺の長さと同じで、１８００ｍｍ、１５００ｍｍ、１２００ｍｍ、９００ｍｍのいずれかの長さを選択するが、保護板１を人手で可搬できる重量になるようにする。
【００１９】
保護板１の長辺１ａの近傍には、長辺１ａに沿って一定間隔で孔２が形成され、該孔２には保護板１を足場の支柱に括り付けるための紐が取り付けられる。孔２の間隔は３００ｍｍ程度が好ましい。同様に、保護板１の短辺１ｂの近傍には、短辺１ｂに沿って一定間隔で孔３が形成され、該孔３には保護板１を足場の手摺に括り付けるための紐が取り付けられる。孔３の間隔は、孔２と同様に、３００ｍｍ程度が好ましい。保護板１の長辺１ａと短辺１ｂの孔２，３は、図４に示すように、ハトメ４を固着して補強してもよい。
【００２０】
図１に戻ると、保護板１の短辺１ｂの中央には、保護板１を手摺に仮止めするためのフック５が取り付けられている。
【００２１】
次に、本実施形態に係る保護板１を使用する方法及び作用について説明する。
【００２２】
図５に示すように、解体家屋１０の周囲に足場１１を構築する。足場１１は、くさび緊結足場（ビケ）、枠組足場（ビティ）、単管足場のいずれでもよい。図５は、くさび緊結足場を構築した例である。この足場１１は、アンダーベース１２上に立てられた支柱１３と、隣接する支柱１３間に取り付けられた手摺１４を有する。足場１０の外側には、防音又は防塵用の足場シート１５を取り付け、足場１１の内側すなわち解体家屋側には本実施形態に係る保護板１を取り付ける。足場シート１５としては、防音シート、防塵シート、用儒おシート等の公知のものを使用し、公知の方法で取り付けることができる。
【００２３】
保護板１の取り付けにあたって、保護板１の上側の短辺１ｂの中央に設けたフック５を手摺１４に引掛けて仮止めし、落下を防止する。図６に示すように、保護板１の上側の短辺１ｂの孔３と足場１１の手摺１４に緊結材例えば結束紐１６を通して外れないように緊結する。これを短辺１ｂの全ての孔３について行う。緊結材としての結束紐１６は予め孔３に取り付けておいてもよい。
【００２４】
続いて、保護板１の両側の長辺１ａの孔２と足場１１の支柱１３に結束紐１６を通して外れないように緊結する。これを長辺１ａの全ての孔２について行う。保護板１の下側の短辺１ｂも、同様にして、足場に取り付ける。
【００２５】
足場１１に取り付けた保護板１の側方及び上方に、同様の手順により、次の保護板１を取り付ける。図７に示すように、既設の保護板１の上方に新たな保護板１を取り付ける場合、新たな保護板１の下縁は、既設の保護板１の上縁に重なるようにする。
【００２６】
保護板１は、足場シート１５の内側の全面に取り付ける必要はなく、モルタルや瓦礫の飛散、壁や柱の倒壊が予想される箇所にのみ取り付けてもよい。
【００２７】
解体作業中に飛散するモルタルや瓦礫や、倒壊する壁や柱は、足場シート１５に到る前に、保護板１に阻止されるので、足場シート１５が破れたり孔が明くなどの損傷を免れ、本来の防音や防塵、養生機能を維持することができる。また、倒壊する壁や柱により足場１１の各部材が損傷するのを防止することができる。さらに、解体前に予め外壁のモルタルを叩き落とす等の手作業が不要になる。
【００２８】
このように、足場シート１５は保護板１によって保護され、飛散するモルタルや瓦礫、倒壊する壁や柱により破損することがないので、足場シート１５の補修や取り換えの必要がない。
【００２９】
図８に示すように、足場１１に踏板１７が設けられる場合は、踏板１７の外側の支柱１３ａ及び手摺１４ａに足場シート１５を取り付け、踏板１７の内側の支柱１３ｂ及び手摺１４ｂに保護板１を取り付ける。
【００３０】
図９は、本考案の第２実施形態に係る保護板１を示す。保護板１は、上側の短辺１ｂに沿って緩衝材６を通り付けたものであり、特記以外は前記第１実施形態に示す保護板１と同様であり、対応する部分には同一符号を附して説明を省略する。
【００３１】
緩衝材６は、発泡ウレタンからなり、保護板１の波形と対向する面は当該波形と相補する波形の形状を有し、反対側の面は平坦である。緩衝材６は、保護板１の片面の上部の孔３より下方に、短辺１ｂに沿って一側の長辺１ａから他側の長辺１ａまで延びている。
【００３２】
第２実施形態の保護板１は、解体家屋１０と近隣家屋２０の間に足場を組めない場合、図１０に示すように、緩衝材６が近隣家屋２０側を向くように、解体家屋１０と近隣家屋２０の間に立て架ける。あるいは、解体家屋１０と近隣家屋２０の間に近隣家屋２０のブロック塀やフェンスが有る場合は、これらのブロック塀やフェンスに保護板１を立て架けて、ブロック塀やフェンスが汚れたり損傷するのを防止することができる。
【００３３】
第２実施形態の保護板１によれば、解体家屋１０の解体作業中に飛散するモルタルや瓦礫や、倒壊する壁や柱は保護板１で受け止められ、近隣家屋２０には到らない。また、立て架けた保護板１の上端は緩衝材６を介して近隣家屋２０の壁に当たっているので、近隣家屋２０が損傷を受けるのを防止することができる。
【００３４】
図１１は、本考案の第３実施形態に係る保護板１を示す。本実施形態では、２枚の保護板１，１を重ね合わせて長さを調整できるようにしたものである。２枚の保護板１，１の重なった部分の長辺１ａの孔２にワイヤや紐、ピン、クリップなどの連結部材１８を通して連結することで、設置場所に合った長さにすることができる。
【００３５】
また、図１２に示すように、重ねた２枚の保護板１，１の両側端を巻き付けるように成形してスライド部７を形成してもよい。スライド部７は、これに限らず、２枚の保護板１，１の両側端を互いに嵌合するように形成したものでもよい。２枚に限らず、３枚又はそれを超える保護板１を重ねてもよい。
【００３６】
図１３は、本考案の第４実施形態に係る保護板１を示す。本実施形態では、２枚の保護板１，１を並べて各々の長辺１ａをヒンジ部材８を介して接合したものである。ヒンジ部材８は、図１４（ａ）に示すように、２枚の保護板１，１の各々の長辺１ａに接着又はリベットで固着するのが好ましい。ヒンジ部材８としては、ゴム、革等の柔軟な部材が好ましい。ヒンジ部材８は、保護板１，１の長辺１ａの全長に亘って設けるのが好ましいが、部分的でもよい。２枚に限らず、３枚又はそれを超える保護板１をヒンジ部材８を介して接合してもよい。  
【００３７】
第４実施形態の保護板１では、図１４（ｂ）に示すように、一方の保護板１をヒンジ部材８の回りに９０°に曲げて、足場のコーナー部に取り付けたり、家屋の角部に自立させることができる。また、一方の保護板１をヒンジ部材８の回りに１８０°に曲げて重ね合わせて強度を高めた状態で使用したり、重ねた状態で輸送や保管を行うことができる。幅９００ｍｍの２枚の保護板１をヒンジ部材８で接合すれば、幅１８００ｍｍの保護板とすることがきるし、重ねて９００ｍｍｍとすることができる。
【００３８】
本考案の保護板１は、図１５に示すように、解体家屋１０の屋外にある花壇や、芝、草木を覆うことで、解体家屋１０やブロック塀を解体するときのモルタルや瓦礫から保護することができる。この場合、保護板１に落下したモルタルや瓦礫は、保護板１の波形の方向に掃き出すことで容易に除去することができる。
【００３９】
また、本考案の前記実施形態の保護板１は、解体家屋１０のカーポート等解体せずに残す建物の柱に巻き付けて解体時に損傷しないようにすることができる。
【００４０】
本考案は、前記実施形態に限るものではなく、考案の要旨から逸脱しない範囲内で適宜変更及び修正を行うことができる。
【符号の説明】
【００４１】
１…足場用保護板
１ａ…長辺
１ｂ…短辺
２…孔
３…孔
４…ハトメ
５…フック
６…緩衝材
７…スライド部
８…ヒンジ部材
１０…解体家屋
１１…足場
１２…アンダーベース
１３…支柱
１４…手摺
１５…足場シート
１６…結束紐
１７…踏板
１８…連結部材
２０…近隣家屋
【図１】
0003223960.tif 000003
【図２】
0003223960.tif 000004
【図３】
0003223960.tif 000005
【図４】
0003223960.tif 000006
【図５】
0003223960.tif 000007
【図６】
0003223960.tif 000008
【図７】
0003223960.tif 000009
【図８】
0003223960.tif 000010
【図９】
0003223960.tif 000011
【図１０】
0003223960.tif 000012
【図１１】
0003223960.tif 000013
【図１２】
0003223960.tif 000014
【図１３】
0003223960.tif 000015
【図１４】
0003223960.tif 000016
【図１５】
0003223960.tif 000017